(57)【要約】【課題】洗浄装置において、洗浄された内視鏡とその洗浄情報との正確な対応付けを簡単確実に行なう。【解決手段】洗浄装置１０には、タグリーダ２７とプリンタ２８が接続されている。洗浄担当者は、操作パネル１８を操作して洗浄プログラムを選択する。内視鏡１２をタグリーダ２７に近づけると、内視鏡１２のＩＤが読み込まれ、ＥＥＰＲＯＭ４４に記憶される。使用した内視鏡１２を洗浄槽内にセットして蓋を閉じ、操作パネル１８を通して洗浄開始を指示する。ＣＰＵ４０は、洗浄プログラムの全工程が完了した後、内視鏡１２の洗浄情報をＥＥＰＲＯＭ４４に記憶する。蓋が開放されると、蓋検出センサ１７から開放したことを表わす検出信号が出力され、その検出信号をＣＰＵ４０が受け、ＥＥＰＲＯＭ４４から洗浄情報を読み出し、この洗浄情報を表示パネル１９に表示すると同時にプリンタ２８に送る。プリンタ２８は、洗浄情報を記録紙にプリントアウトする。【選択図】図３
2010035689.tif 000002
【特許請求の範囲】
【請求項１】
内視鏡を洗浄するための洗浄槽と、
前記洗浄槽を開閉する蓋と、
前記蓋の開閉を検出して検出信号を出力する検出手段と、
前記内視鏡に対して施された洗浄に関する洗浄情報の出力を制御する出力制御手段であり、前記検出信号に基づいて、前記蓋が開いたときに、前記洗浄情報の出力を開始する出力制御手段と
を備えたことを特徴とする洗浄装置。
【請求項２】
前記出力制御手段による前記洗浄情報の出力先は、ディスプレイ、プリンタ、スピーカ、及び外部コンピュータの少なくとも１つを含むことを特徴とする請求項１記載の洗浄装置。
【請求項３】
前記ディスプレイ、プリンタ、及びスピーカのうち、少なくとも１つは、装置本体に一体的に設けられていることを特徴とする請求項２記載の洗浄装置。
【請求項４】
前記出力先のうち少なくとも１つは、ケーブル又はネットワークによって通信可能に接続されていることを特徴とする請求項２または３記載の洗浄装置。
【請求項５】
前記洗浄情報には、少なくとも、洗浄日時、洗浄対象の内視鏡のＩＤが含まれることを特徴とする請求項１ないし４いずれか１項記載の洗浄装置。
【発明の詳細な説明】
【技術分野】
【０００１】
本発明は、内視鏡を洗浄する洗浄装置に関する。
【背景技術】
【０００２】
特許文献１に記載されているように、使用した内視鏡を洗浄消毒する洗浄装置が知られている。この洗浄装置は、内視鏡の洗浄消毒した後、この洗浄消毒に関する情報（以下、洗浄情報という）を外部のモニタに表示したり、プリントアウトする。
【０００３】
内視鏡は、体腔内に挿入されて体液や汚物が付着するため、使用後は、必ず洗浄消毒が行われなければならない。洗浄情報は、内視鏡に対して適正な洗浄消毒処理が実施された否かを表す重要な情報であり、内視鏡と対応付けて管理される。洗浄情報は、例えば、内視鏡を次回使用するときに洗浄消毒処理が実施済みのものであるか否かの確認に利用される。
【特許文献１】特許第３４０３６５３号公報
【発明の開示】
【発明が解決しようとする課題】
【０００４】
上記特許文献１の洗浄装置では、洗浄消毒工程が終了すると、直ちに、洗浄情報の出力を開始しているが、洗浄情報の出力タイミングを洗浄消毒工程終了時とした場合には、洗浄装置の周囲に洗浄を担当するスタッフがいない場合に、以下のような不都合が生じる。
【０００５】
まず、洗浄情報の出力時に、洗浄装置の周囲に洗浄担当のスタッフがいれば、そのスタッフは、洗浄情報の出力経過（例えば、プリンタがプリント処理を実行して洗浄情報を記録した記録紙が排出される経過）を目視することができるので、出力された洗浄情報が、洗浄装置内の内視鏡に対応する情報であることを確認することができる。このため、洗浄装置から取り出した内視鏡と、出力された洗浄情報との正確な対応付けを行うことができる。
【０００６】
しかし、洗浄装置の周囲に洗浄担当のスタッフがいない間に、洗浄消毒工程が終了し、洗浄情報が出力された場合には、スタッフは、洗浄情報の出力経過を目視によって確認することができない。そのため、洗浄装置から内視鏡を取り出しに来たスタッフは、洗浄情報の出力経過を確認していないので、出力された洗浄情報が、洗浄装置内の内視鏡と対応するものか否かの確認に手間がかかる。例えば、洗浄装置から取り出した内視鏡の本体に記録されたＩＤと出力された洗浄情報に記録された内視鏡のＩＤを照合するといった厳格な確認作業が必要になる。また、こうした確認作業を怠った場合には、出力された洗浄情報を別の内視鏡に対応付けてしまうという取り違いの危険性も生じる。さらには、洗浄情報に内視鏡のＩＤが記録されていない場合には、出力された洗浄情報と内視鏡との対応付けができない。
【０００７】
また、スタッフが洗浄装置の周囲にいない間に出力された洗浄情報は、スタッフがくるまでの間、出力された状態で放置されることになる。出力先がプリンタであれば、洗浄情報が記録された記録紙がプリンタから排出された状態で放置される。この場合には、プリンタから排出された記録紙が、誤って持ち去られたり、空調等の風によって吹き飛ばされるなどして、紛失する危険性が高い。こうなると、出力された洗浄情報と内視鏡との正確な対応付けができない。
【０００８】
本発明は、上記のような問題点を解決するためになされたもので、洗浄された内視鏡と、その内視鏡の洗浄情報との正確な対応付けを簡単確実に行える洗浄装置を提供することを目的とする。
【課題を解決するための手段】
【０００９】
本発明の洗浄装置は、内視鏡を洗浄するための洗浄槽と、前記洗浄槽を開閉する蓋と、前記蓋の開閉を検出して検出信号を出力する検出手段と、前記内視鏡に対して施された洗浄に関する洗浄情報の出力を制御する出力制御手段であり、前記蓋が開いたことを表わす前記検出手段による検出信号に基づいて、前記洗浄情報の出力を開始する出力制御手段とを備えたことを特徴とする。なお、前記洗浄情報は、狭義の洗浄（洗浄液による洗浄）に関する情報だけでなく、消毒液による消毒、オートクレーブ滅菌を含む内視鏡のリプロセスに関する情報を意味する。洗浄に関する情報に加えて、消毒、滅菌に関する情報のうち少なくとも１つが含まれていてもよい。
【００１０】
前記出力制御手段による前記洗浄情報の出力先は、ディスプレイ、プリンタ、スピーカ、及び外部コンピュータの少なくとも１つを含むことが好ましい。
【００１１】
前記ディスプレイ、プリンタ、及びスピーカのうち、少なくとも１つは、装置本体に一体的に設けられていることが好ましい。
【００１２】
前記出力先のうち少なくとも１つは、ケーブル又はネットワークによって通信可能に接続されていることが好ましい。
【００１３】
前記洗浄情報には、少なくとも、洗浄日時、洗浄対象の内視鏡のＩＤが含まれることが好ましい。
【発明の効果】
【００１４】
本発明の洗浄装置によれば、洗浄槽の蓋を開けた時に洗浄情報が出力されるので、洗浄情報が出力される際には、少なくとも洗浄槽の近くに洗浄槽の蓋を開けたスタッフが居ることになる。この結果、洗浄された内視鏡と、その内視鏡の洗浄情報との正確な対応付けを簡単確実に行なうことができる。
【発明を実施するための最良の形態】
【００１５】
本発明の実施形態である洗浄装置を示す図１において、洗浄装置１０の箱状をした装置本体１１の上方部には、内視鏡１２（図２参照）を洗浄する洗浄槽１３が設けられている。この洗浄槽１３は、例えばステンレス等の耐熱性、耐蝕性等に優れた金属板で形成された水槽であり、この上部の開口１３ａが蓋１４で開閉自在となっている。
【００１６】
蓋１４は、ヒンジ１５を介して装置本体１１に取り付けられており、洗浄槽１３の開口１３ａを閉じる閉位置と、開口１３ａを開放する開位置との間で回動する。蓋１４の内側の外周面には、閉位置で洗浄槽１３内を密閉するためのパッキング１４ａが設けられている。装置本体１１には、洗浄・消毒中に、蓋１４が不用意に開かないようにロックする、例えばソレノイドを用いたロック機構１６（図３参照）が設けられている。なお、蓋１４は、装置本体１１に接続されたフットスイッチ（図示せず）によって開放できるようになっている。
【００１７】
装置本体１１の上面周縁１１ａの一部には、蓋１４の開閉を検出する蓋検出センサ１７が設けられている。装置本体１１の上面手前には、操作パネル１８及び表示パネル１９が設けられている。操作パネル１８は、内視鏡１２の洗浄、消毒に関する各種設定や、洗浄及び消毒の開始または停止等を指示するための複数のボタンを備えている。表示パネル１９には、例えば液晶ディスプレイ（ＬＣＤ）が用いられ、後述する内視鏡１２の洗浄に関する情報である洗浄情報の他、各種設定画面、各工程の残り時間、トラブル発生時の警告メッセージ等が表示される。
【００１８】
洗浄槽１３の角部に設けられた傾斜部１３ｂには、内視鏡１２の洗浄、消毒に用いる液体を洗浄槽１３内に供給する供給ポート２１が設けられている。供給ポート２１には、洗浄槽１３内に向けられた給水ノズル２２、洗剤供給ノズル２３、消毒液供給ノズル２４が設けられている。これらのノズル２２〜２４は、洗浄槽１３内に貯えられる液体の液面よりも高い位置に配置されている。蓋１４には、供給ポート２１を収容する凹部１４ｂが設けられている。
【００１９】
給水ノズル２２は、洗浄槽１３内に水を供給する。洗剤供給ノズル２３は、装置本体１１内に設けられた洗剤タンク内に貯えられている洗剤を洗浄槽１３内に供給する。消毒液供給ノズル２４は、装置本体１１内に設けられた消毒液タンク内に貯えられている消毒液を洗浄槽１３内に供給する。使用後の内視鏡１２に付着している体液や汚物は、水と洗剤とが混合された洗浄液により洗い流される。洗浄液で洗い流されなかった病原菌やウイルスは、消毒液により除去され、または病原性が消失される。
【００２０】
洗浄槽１３内には、液面センサ２５が設けられている。液面センサ２５は、洗浄槽１３内に貯えられた液体の液面位置を検出する。洗浄槽１３の底面１３ｃの角部には、廃液口２６が設けられている。廃液口２６は、洗浄槽１３から使用済みの水、洗浄液を洗浄装置１０の外に排出する。また、消毒液は劣化するまで繰り返し使用されるため、図示していないが、消毒工程では、廃液口２６に流れ込んだ消毒液は、廃液口２６に繋がれた排水管の途中に設けられた電磁弁によって流路が変更され、消毒液タンク内に戻される。
【００２１】
図２に示すように、洗浄槽１３の内側面１３ｄには、チャンネル洗浄ポート３０が設けられている。チャンネル洗浄ポート３０は、内視鏡１２の送気・送水チャンネル、鉗子チャンネル及び吸引チャンネル内の洗浄、消毒に用いられる。チャンネル洗浄ポート３０には、送気・送水チャンネル用カプラ３１、吸引チャンネル用カプラ３２、鉗子チャンネル用カプラ３３が設けられている。
【００２２】
洗浄槽１３に収容された内視鏡１２は、柔軟性を有するチューブ３４〜３６によって、装着口１２ａ，１２ｂ及び鉗子口１２ｃがカプラ３１〜３３に接続されている。カプラ３１〜３３からは、水、洗浄液、消毒液、アルコール、及び圧縮エア等の気体及び液体が、内視鏡１２内に設けられた周知の送気・送水チャンネル、鉗子チャンネル及び吸引チャンネル（図示せず）内に供給される。
【００２３】
内視鏡１２の操作部１２ｄの一部には、無線タグ３８が取り付けられている。この無線タグ３８のメモリには、内視鏡１２のＩＤが記憶されている。内視鏡１２のＩＤは、例えば内視鏡１２のユーザである病院内で個々の内視鏡１２を識別するために付された識別情報である。装置本体１１には、無線タグ３８と通信して、内視鏡１２のＩＤを読み込むためのタグリーダ２７がケーブルを介して電気的に接続されている。内視鏡１２をタグリーダ２７に近づけると、無線タグ３８から内視鏡１２のＩＤが発信され、これをタグリーダ２７が受信する。また、装置本体１１には、内視鏡１２の洗浄情報をプリントアウトするプリンタ２８がケーブルを介して電気的に接続されている。
【００２４】
洗浄装置１０の電気的構成を示す図３において、洗浄装置１０の全体を統括的に制御するＣＰＵ４０には、ロック機構１６，蓋検出センサ１７や液面センサ２５等の各種センサの他、操作パネル１８，表示パネル１９を駆動するＬＣＤドライバ４１，制御プログラムや各種データが記憶されたＲＯＭ４２，ＲＯＭ４２から読み出された制御プログラムの実行領域であるＲＡＭ４３，ＥＥＰＲＯＭ４４，モータドライバ４５，弁ドライバ４６，通信ポート４７，スピーカ４８等が接続されている。
【００２５】
通信ポート４７には、タグリーダ２７とプリンタ２８がそれぞれケーブル接続されている。通信ポート４７の通信インタフェースとしては、例えばＲＳ−２３２ＣやＵＳＢといった規格が使用される。スピーカ４８は、蓋１４を閉じないで洗浄開始を指示した場合や所定の洗浄消毒工程が完了した場合などに作動して、所定の警告音（ブザー音等）を発する。なお、ブザー音の代わりに、音声で注意やお知らせを行なうようにしてもよい。
【００２６】
洗浄装置１０は、内視鏡１２の洗浄を実行する毎に、その洗浄に関する洗浄情報４９（図４参照）を生成し、ＥＥＰＲＯＭ４４に記録する。ＥＥＰＲＯＭ４４には、例えば洗浄情報４９が内視鏡１２のＩＤ毎に記憶される。この洗浄情報４９には、洗浄装置１０のＩＤ、タグリーダ２７によって読み込まれた内視鏡１２のＩＤ、内視鏡１２を洗浄した日付、洗浄を開始した時刻、洗浄を終了した時刻、洗浄担当者の名前、洗浄時間、消毒時間、洗剤名、消毒液名、消毒液温度、総洗浄回数，総消毒回数、使用した洗浄プログラムなどの項目がある（図４参照）。
【００２７】
洗浄装置１０のＩＤは、例えば内視鏡１２のＩＤと同様に、個々の洗浄装置１０に付された識別情報である。洗浄担当者は、内視鏡１２を洗浄装置１０に投入し、洗浄消毒の開始を指示したスタッフである。洗浄担当者の名前は、例えば操作パネル１８から入力される。洗浄装置１０にカードリーダを設けて、ＩＤカードから洗浄担当者の名前やＩＤ番号を読み取るようにしてもよい。時間、時刻等は、ＣＰＵ４０のシステムタイマから取得される。洗剤名、消毒液名は、予め設定された情報が読み出される。消毒液温度は、洗浄槽１３に設けられ、洗浄槽１３内に供給された消毒液の温度を計測する温度計（図示せず）から取得される。
【００２８】
総洗浄回数は、内視鏡１２がこれまでに洗浄された洗浄回数の合計であり、無線タグ３８のメモリに内視鏡１２のＩＤの付帯情報として記憶されている。同様に、総消毒回数は、内視鏡１２がこれまでに消毒された消毒回数の合計であり、無線タグ３８のメモリに内視鏡１２のＩＤの付帯情報として記憶されている。つまり、総洗浄回数，総消毒回数は、内視鏡１２のＩＤがタグリーダ２７に読み込まれる際に、内視鏡１２のＩＤと一緒に読み込まれる。そして、洗浄・消毒が終了した後、無線タグ３８をタグリーダ２７に近づけると、無線タグ３８内の総洗浄回数，総消毒回数が更新される。
【００２９】
本例の洗浄情報４９の項目は、１例であり、上記項目がすべて含まれていなくてもよい。また、洗浄情報４９に、上記項目以外の項目、例えば内視鏡１２やＩＤの型番，製造番号といった項目を加えてもよい。洗浄情報４９は、内視鏡１２に対して洗浄が行なわれたか否かを確認するための情報であるから、少なくとも、いつ洗浄が実施されたかを表わす洗浄日時が含まれていることが好ましい。また、内視鏡１２との対応づけを可能にするためには、内視鏡１２のＩＤが含まれていることが好ましい。他の項目については、ユーザの要求レベルによって適宜選択される。
【００３０】
洗浄プログラムとしては、例えば、Ａ，Ｂ，Ｃの３種類が用意されており、予めＲＯＭ４２に記憶されている。洗浄プログラムＡは、洗浄工程及び消毒工程の両方を行なうプログラムである。また、洗浄プログラムＢは、洗浄工程のみを行ない、消毒工程は省略するプログラムである。また、洗浄プログラムＣは、消毒工程のみを行ない、洗浄工程は省略するプログラムである。
【００３１】
モータドライバ４５は、洗浄液タンク，消毒液タンクから洗浄液，消毒液を洗浄槽１３等に供給するポンプのモータを駆動する。弁ドライバ４６は、洗浄液タンク，消毒液タンクから洗浄液，消毒液を洗浄槽１３等に供給したり、廃液口２６に流れ込んだ使用済みの消毒液を消毒液タンクに戻す際などに駆動される各電磁弁を制御する。
【００３２】
プリンタ２８は、内視鏡１２の洗浄工程，消毒工程が終了した後、蓋検出センサ１７からの信号に基づいて、蓋１４が開けられたことをＣＰＵ４０が検出した時に、図４に示すように、洗浄情報４９を記録紙５０にプリントアウトする。
【００３３】
このように構成された洗浄装置１０の作用について、図５に示すフローチャートに従って説明する。なお、括弧内のｓｔ（ステップの意）１等は、図５に示すｓｔ１に対応する。まず、洗浄担当者は、操作パネル１８を操作して、洗浄処理の内容を規定する洗浄プログラムＡ，Ｂ，Ｃから所望の例えば洗浄プログラムＡを選択し、その指示の入力を行う（ｓｔ１）。
【００３４】
ＣＰＵ４０は、入力された指示に基づいて、洗浄プログラムＡをＲＯＭ４２からＲＡＭ４３にロードし、実行待機状態になる。次に、洗浄担当者は、内視鏡１２をタグリーダ２７に近づける。これにより、タグリーダ２７は、無線タグ３８が通信範囲に入ると、無線タグ３８と通信して内視鏡１２のＩＤを読み込む（ｓｔ２）。内視鏡１２のＩＤは、通信ポート４７を介してＣＰＵ４０に送られ、ＥＥＰＲＯＭ４４に記憶される。
【００３５】
洗浄担当者は、フットスイッチを操作して、蓋１４を開放する。使用した内視鏡１２を洗浄槽１３内に入れ、装着口１２ａ，１２ｂ及び鉗子口１２ｃをチューブ３４〜３６によって各カプラ３１〜３３に接続する（ｓｔ３）。
【００３６】
この後、洗浄担当者は、蓋１４を閉じる（ｓｔ４）。蓋検出センサ１７は、蓋１４が閉じられると、それに対応する検出信号をＣＰＵ４０に出力する。操作パネル１８を操作して洗浄開始指示を行なうと、ＣＰＵ４０は、ロック機構１６を作動して蓋１４をロックして、洗浄工程を開始させる（ｓｔ５）。蓋１４を閉じなかったり、ロック機構１６が正常に作動しなかった場合、洗浄開始指示を行なうと、スピーカ４８が警告音を発するとともに、表示パネル１９に「蓋を閉じて下さい」等の警告文が表示される。
【００３７】
洗浄工程では、カプラ３１〜３３から、洗浄液が内視鏡１２内の送気・送水チャンネル、鉗子チャンネル及び吸引チャンネル内に供給され、これらの内部を洗浄する。これと同時に、給水ノズル２２から水が洗浄槽１３内に噴射されるとともに、洗剤供給ノズル２３から洗剤が洗浄槽１３内に噴射される。洗浄槽１３内で水と洗剤とが混合されてなる洗浄液が内視鏡１２に付着している体液や汚物を洗い流す。洗浄液は廃液口２６を通って外部に排出される。
【００３８】
所定時間の洗浄工程が終了すると、洗剤供給ノズル２３からの洗剤の供給が停止され、給水ノズル２２から水が洗浄槽１３内に供給されることにより、すすぎ工程（ｓｔ６）が開始される。カプラ３１〜３３からも水が内視鏡１２内の各チャンネルに供給され、内視鏡１２の外表面及び各チャンネル内に残っている洗浄液が除去される。すすぎで使用された水も、廃液口２６を通って外部に排出される。
【００３９】
所定時間のすすぎ工程が終了すると、続いて、内視鏡１２の消毒工程が開始される（ｓｔ７）。消毒液供給ノズル２４から消毒液が洗浄槽１３内に噴射され、内視鏡１２の外部を消毒すると同時に、カプラ３１〜３３から、消毒液が内視鏡１２内の各チャンネル内に供給され、これらの内部を消毒する。なお、消毒液は、廃棄されずに消毒液タンクに戻される。
【００４０】
消毒工程が終了すると、続いて、上記と同様のすすぎ工程（ｓｔ８）が実施され、内視鏡１２内外に残っている消毒液が除去される。この後、内視鏡１２の各チャンネル内及び外面を送気及びアルコールにより乾燥させる乾燥工程（ｓｔ９）を経て、洗浄プログラムＡによる全工程が完了する。この完了時には、例えばスピーカ４８が作動して所定の全工程が完了したことを知らせる報知音を鳴らすとともに、表示パネル１９に「洗浄・消毒が完了しました」等のメッセージが表示される。また、ＣＰＵ４０は、指定した洗浄プログラムの全工程が完了した後、ロック機構１６によるロックを解除し、更に内視鏡１２の洗浄情報４９をＥＥＰＲＯＭ４４に記憶する。
【００４１】
洗浄担当者は、表示パネル１９で洗浄プログラムの全工程が完了していることを確認してから、蓋１４を開ける（ｓｔ１０）。蓋１４が開放されると、蓋検出センサ１７から開放したことを表わす検出信号が出力される。ＣＰＵ４０は、その検出信号を受けて、ＥＥＰＲＯＭ４４から洗浄情報４９を読み出し、この洗浄情報４９をＬＣＤドライバ４１を介して表示パネル１９に表示すると同時に、通信ポート４７を介してプリンタ２８に送る。プリンタ２８は、洗浄情報４９を記録紙５０にプリントアウトする（図４参照）（ｓｔ１１）。
【００４２】
このように、蓋１４を開けることに連動して、洗浄情報４９が表示パネル１９に表示されるとともに、プリンタ２８からプリントアウトされる。つまり、洗浄情報４９が表示パネル１９に表示されたり、プリンタ２８からプリントアウトされる際には、洗浄装置１０の蓋１４を開ける操作を行なった洗浄担当者等のスタッフが、洗浄装置１０の近くに必ず居ることになる。
【００４３】
したがって、洗浄装置１０から内視鏡１２を取り出すスタッフは、洗浄情報４９の出力経過を確認することができる。このため、取り出した内視鏡１２と洗浄情報４９とを正確に対応づけることができる。また、洗浄情報４９が放置されることがないので、記録紙５０の紛失といった危険もない。
【００４４】
以上説明した実施形態では、内視鏡のＩＤを内視鏡に取り付けられた無線タグのメモリに記憶させておき、タグリーダによって洗浄装置に読み込んだが、本発明はこれに限定されることなく、例えば操作パネルを操作することにより内視鏡のＩＤを洗浄装置に入力してもよい。また、例えば、内視鏡のＩＤをバーコードで表わし、このバーコードラベルを内視鏡の外表面に貼着するようにしてもよい。この場合、洗浄装置にバーコードリーダを接続しておき、このバーコードリーダで内視鏡のバーコードラベルのバーコードを読むようにすればよい。
【００４５】
上記実施形態は、表示パネルとプリンタの２つの出力先に洗浄情報を出力する例であったが、一方のみでもよい。
【００４６】
上記実施形態では、内視鏡のＩＤを読み込むタグリーダや洗浄情報をプリントアウトするプリンタを洗浄装置の外部に接続するようにしたが、本発明はこれに限定されることなく、タグリーダやプリンタを洗浄装置に一体的に組み込むようにしてもよい。
【００４７】
上記実施形態では、洗浄情報を洗浄装置の表示パネルに表示するようにしたが、本発明はこれに限定されることなく、例えば洗浄装置に接続された外部ディスプレイの画面に洗浄情報を表示するようにしてもよい。
【００４８】
また、洗浄装置の外部にケーブル又はネットワークを介してコンピュータを接続し、これに洗浄情報を出力してもよい。
【図面の簡単な説明】
【００４９】
【図１】本発明の洗浄装置の外観を示す説明図である。
【図２】内視鏡を洗浄槽にセットした状態を示す説明図である。
【図３】洗浄装置の電気的な構成を示す説明図である。
【図４】洗浄情報をプリントアウトした記録紙の一例を示す説明図である。
【図５】洗浄プログラムＡを選択した場合の洗浄装置における洗浄シーケンスの概略を示すフローチャートである。
【符号の説明】
【００５０】
１０  洗浄装置
１２  内視鏡
１３  洗浄槽
１４  蓋
１７  蓋検出センサ
１８  操作パネル
１９  表示パネル
２７  タグリーダ
２８  プリンタ
３８  無線タグ
４０  ＣＰＵ
４４  ＥＥＰＲＯＭ
４８  スピーカ
４９  洗浄情報
５０  記録紙
【図１】
2010035689.tif 000003
【図２】
2010035689.tif 000004
【図３】
2010035689.tif 000005
【図４】
2010035689.tif 000006
【図５】
2010035689.tif 000007